(57)【特許請求の範囲】
【請求項１】
錠ケース３の外側壁３ａに対向する防音扉Ｄの外壁面に固定される座板５と、この座板５に差し込まれかつ内側ハンドル８の角軸７に対して脱着可能に取り付けられる外側ハンドル６と、この外側ハンドル６又は内側ハンドル８を垂直方向へ押し下げると、前記角軸７に一体的に設けられた筒状体９を介して上下方向に移動するロック用の上下ロッド１０，１１とを備える防音扉Ｄの錠１に於いて、前記外側ハンドル６の基部にハンドル保持機構３０を有する嵌合体２１を固定的に設け、また、前記ハンドル保持機構３０は、前記嵌合体２１の先端部の内部に角軸７用の軸孔２３に対して交差するように設けられた収納筒３１と、該収納筒３１に内装された可動圧接体３３及び該可動圧接体用の付勢バネ３４と、該収納筒３１の外端部に固定された固定蓋３５とから成り、さらに、収納筒３１の前記軸孔２３に臨む内端部には、可動圧接体３３を係止する係止爪３２が設けられており、前記角軸７に対する外側ハンドル６の装着時、前記嵌合体２１の先端部を座板５に差し込むと、前記可動圧接体３３が付勢バネ３４のバネ力により角軸７に圧接して該外側ハンドルが内側ハンドルに直ちに保持されることを特徴とする防音扉の錠。
【発明の詳細な説明】
【０００１】
【発明の属する技術分野】
本発明は防音扉に使用される防音扉の錠に関する。
【０００２】
【従来の技術】
防音扉の錠は、普通一般に角軸を有する内側ハンドルと、錠ケースを介してこれに自由に結合する外側ハンドルとが脱着可能である。防音扉の錠を構成する一対の上下ロッドは、例えば内側ハンドルを水平の位置から下方に力一杯押し下げると施錠方向へ伸長して枠体の受け金具に係合し、一方、内側ハンドルを上方に持上げると解錠方向へ収縮して前記受け金具から離れる。
【０００３】
ところが、内側ハンドルを下方に押し下げて上下ロッドを施錠した後に、振動等が原因で外側ハンドルが内側ハンドルの角軸に対して外方向にズレる場合がある。このような場合内側ハンドルを力一杯解錠方向に戻そうとしても、外側ハンドルの基部の形状と防音扉の外側壁に固着された座板の取付け孔の形状との関係から、内側ハンドルが回らないことがしばしばある。このような場合ハンドルの解錠操作を室内側の内側ハンドルからできないので、点検、修理等の作業能率を阻害する要因と成っている。そこで、このような問題点を解消できる防音扉の錠の出現が現在要望されている。
【０００４】
【発明が解決しようとする課題】
本発明は以上のような従来の問題点に鑑み、第１の目的は、防音扉の錠に於いて、点検、修理等の作業能率の向上を図るために、錠を施錠した後に於いて、振動等の原因により外側ハンドルが内側ハンドルの角軸に対して外方向にズレないようにすることができることである。第２の目的は、ハンドル保持機構を構成する可動圧接体を合理的な構成により内側ハンドルの角軸に圧接させることができることである。第３の目的は、外側ハンドルを防音扉の錠から取り外した後に於いて、外側ハンドルを再び錠に装着した場合に、外側ハンドルが直ちにハンドル保持機構を介し、内側ハンドル対して保持されることである。
【０００５】
【課題を解決するための手段】
本発明の防音扉の錠は、錠ケース３の外側壁３ａに対向する防音扉Ｄの外壁面に固定される座板５と、この座板５に差し込まれかつ内側ハンドル８の角軸７に対して脱着可能に取り付けられる外側ハンドル６と、この外側ハンドル６又は内側ハンドル８を垂直方向へ押し下げると、前記角軸７に一体的に設けられた筒状体９を介して上下方向に移動するロック用の上下ロッド１０，１１とを備える防音扉Ｄの錠１に於いて、前記外側ハンドル６の基部にハンドル保持機構３０を有する嵌合体２１を固定的に設け、また、前記ハンドル保持機構３０は、前記嵌合体２１の先端部の内部に角軸７用の軸孔２３に対して交差するように設けられた収納筒３１と、該収納筒３１に内装された可動圧接体３３及び該可動圧接体用の付勢バネ３４と、該収納筒３１の外端部に固定された固定蓋３５とから成り、さらに、収納筒３１の前記軸孔２３に臨む内端部には、可動圧接体３３を係止する係止爪３２が設けられており、前記角軸７に対する外側ハンドル６の装着時、前記嵌合体２１の先端部を座板５に差し込むと、前記可動圧接体３３が付勢バネ３４のバネ力により角軸７に圧接して該外側ハンドルが内側ハンドルに直ちに保持されることを特徴とする。
【０００６】
このように、本発明にあっては、発明の効果の段落で述べたように、外側ハンドルを単に座板に差し込み、内側ハンドルの角軸に結合するだけで、嵌合体２１の先端部の内部に設けたハンドル保持機構３０を介して直ちに内側ハンドル対して保持されると共に、内側ハンドルを室内側から回して解錠しようとする時、仮に振動などが発生しても外側ハンドルが外側に容易にズレないので、内側ハンドルが解錠方向に回らないと言う不都合も生じない。
【０００７】
【発明の実施の形態】
以下、図面に示す実施例により本発明を詳細に説明する。図１ないし図１１は本発明の第１実施例である。１は防音扉Ｄ用錠の一例であるグレモン錠である。防音扉Ｄは一般にアルミ扉やスチール扉が使用される。グレモン錠１は、例えば図１で示すようにフロント２を有する錠ケース３と、この錠ケースの外側壁３ａに対向する防音扉Ｄの外壁面に固着具４を介して固定された矩形状の座板５と、この座板５に差し込まれ、かつ、内側ハンドル８の角軸７に脱着可能に取り付けられる外側ハンドル６と、この外側ハンドル６又は内側ハンドル８を垂直方向へ押し下げると、前記角軸７に一体的に設けられた筒状体９を介して上下（ロック）方向に移動する上下ロッド１０，１１とを備えている。
【０００８】
そして、一般にフロント２からはデッドボルト１２が出没し、また錠ケース３の外側壁３ａ側の座板５にはシリンダー１３が、一方，錠ケースの内側壁３ｂ側の扉Ｄの内壁面にはサムターン１４がそれぞれ突出して設けられている。なお、内側ハンドル８やサムターン１４は、外側ハンドル６と同様に図示しない座板を介して設けられる場合もある。
【０００９】
そこで、以下本発明の主要部を中心に説明する。まず図４は外側座板５の正面図である。この座板５の上部にはサムターン１４用の嵌合孔１５が、またその下部には外側ハンドル６用の取付け孔１６が、さらに適宜部位には複数個の固着具４用の貫通孔１７が形成されている。前記取付け孔１６は楕円形状でも良いが、本実施例では左右の半径よりも上下の半径が大きい腕時計の外観形状を呈している。１８は座板５の中央部に枢支された取付け孔１６の開閉蓋である。この開閉蓋１８は外側ハンドル６を座板５から取り外した後に取付け孔１６を自重により閉じる。
【００１０】
次に図５は外側ハンドル６の斜視図である。この外側ハンドル６は、Ｌ型状のハンドル本体２０と、このハンドル本体２０の基部に固定的に設けられた筒状の嵌合体（シンガネ）２１とからなる。
【００１１】
前記嵌合体２１は、図６乃至図８で示すように構成され、また図９乃至図１１で示すように嵌合体２１内には外側ハンドルの水平方向のズレを防止するハンドル保持機構３０が設けられている。
【００１２】
すなわち、２２は嵌合体２１の先端部で、この先端部２２は外形が全体として縦型小判状に形成されていると共に、中央部には内側ハンドル８の角軸７の挿入先端部７ａが嵌合する多角形状の軸孔２３が形成されている。保持機構３０は、この先端部２２内に設けられている。なお、前記軸孔２３は、本実施例では四角形状であり、かつ、四辺の各中央部がそれぞれ外方向に弧状になっている。
【００１３】
しかして、３１は軸孔２３に対して交差する方向に設けられた収納筒で、この収納筒３１の前記軸孔２３に臨む（本実施例では図１０で示すように多少突出している。）内端部には、内面がテーパー状の係止爪３２が周設されている。３３はこの係止爪３２に係止された状態で収納筒３１に内装されたボール状の可動圧接体である。３４はこの可動圧接体３３を角軸７の挿入先端部７ａに付勢するように収納筒３１に内装された付勢バネである。３５は付勢バネ３４の端部を受けるように収納筒３１の外端部にカシメ固定された固定蓋である。
【００１４】
２４は嵌合体２１の嵌合用段差部２４ａを有する後端部で、この後端部２４は外形が図７で示すように円形であると共に、中央部に軸芯方向に形成されかつハンドル本体２０の突出軸２０ａが嵌合する大径の軸孔２５が形成されている。この大径軸孔２５と小径の軸孔２３とは互いに連通している。
【００１５】
２６は前記後端部２４の先端面（嵌合体２１の中央部寄りの部位）に突設された円板状軸部で、この円板状軸部２６は後端部２４よりも小径である。そして、円板状軸部２６は、嵌合体２１の先端部２２が前述したように縦型小判状であるため、左右の端部２６ａ，２６ａは先端部２２からそれぞれ突出している反面、上下の端部２６ｂ，２６ｂは先端部２２内に位置し、一種の係合溝２７を形成している。
【００１６】
上記構成に於いて、例えば防音扉Ｄを室内の出入り口や廊下に沿った側壁の所望する箇所に配設する場合には、まず防音扉Ｄを出入り口、側壁の開口等に嵌め込む。次に内側ハンドル８又は外側ハンドル６を回転して上下ロッド１０，１１をロックする。防音扉Ｄのグレモン錠３は、普通一般の扉錠のハンドルとは相違し、水平状態に位置する内側ハンドル８を図２で示すように垂直状態まで力一杯押し下げると、上下ロッド１０，１１が伸長し、図示しない扉用枠体に設けた上下の受け金具にそれぞれ係合する。したがって、内側ハンドル８から手を放しても、内側ハンドル８は普通一般の扉錠のハンドルのようにバネ部材のバネ力により自動的に元の位置には戻らない。
【００１７】
次に上下ロッド１０，１１を受け金具に対してロックしたならば、外側ハンドル６を防音扉Ｄから引き抜く。これは外側ハンドル６が通路等の邪魔にならないようにする為である。外側ハンドルは、その後、点検や修理の際に再び防音扉Ｄに取り付けられる。
【００１８】
ところで、点検や修理の際に、錠ケース３を介して外側ハンドル６と結合している内側ハンドル８を室内側から回して解錠しようとする時、今仮に振動などが原因で外側ハンドル６が外側（外方向）に多少ズレている場合には、外側ハンドル６の嵌合体２１の小判状先端部２２が座板５の楕円状取付け孔１６内に入り込んでしまっている為、内側ハンドル８を力一杯解錠（水平）方向に戻そうとしても内側ハンドル８は回らない。したがって、作業員は一旦屋外に出て、外側ハンドル６を内側ハンドル８を押し込み、前記ズレを解消した後にハンドルの解錠操作をしなければ成らないと言う不都合がある。
【００１９】
このような不都合は本発明のハンドル保持機構３０により解消される。すなわち、内側ハンドル８又は外側ハンドル６を押し下げ、上下ロッド１０，１１を受け金具に対してロックした後に於いても、外側ハンドル６の基部（本実施例では嵌合体２１）に設けられたハンドル保持機構３０の可動圧接体３３が常に内側ハンドル８の角軸７の挿入先端部７ａに圧接しているので、外側ハンドル６は外側に容易に摺動し（ズレ）ない。
【００２０】
また外側ハンドル６を錠ケース３から取り外した後に於いても、付勢バネ３４により付勢されている可動圧接体３３は、収納筒３１から突出状態で該収納筒の係止爪３２により係止されているので、内外のハンドルの装着の際には外側ハンドル６を単に座板５に差し込み、内側ハンドル８の角軸に結合するだけで、外側ハンドル６は直ちにハンドル保持機構３０を介して内側ハンドル８対して保持される。
【００２１】
【実施例】
この実施例において、ハンドル保持機構３０の可動圧接体３３はボール状であるが、例えばピン状に形成しても良い。この場合ピン状可動圧接体の先（内）端部は円錐状に形成すべきである。また外側ハンドル６はＬ型状のハンドル本体２０と、このハンドル本体２０の基部に固定的に設けられた筒状の嵌合体２１とから成るが、嵌合体２１を使用しない場合には外側ハンドル６の基部に直接ハンドル保持機構３０を内装しても良い。その他可動圧接体３３が圧接する角軸７の挿入先端部７ａに適当なスベリ止め用溝（スリット、ギザギサ形状、凹所）を形成しても良い。
【００２２】
【発明の効果】
以上の説明から明らかなように、本発明にあっては、外側ハンドルを単に座板に差し込み、内側ハンドルの角軸に結合するだけで、外側ハンドルは直ちにハンドル保持機構を介して内側ハンドル対して保持されると共に、内側ハンドルを室内側から回して解錠しようとする時、仮に振動などが発生しても外側ハンドルが外側に容易にズレないので、内側ハンドルが解錠方向に回らないと言う不都合も生じない。したがって、点検、修理等の作業能率の向上を図ることができる。
【００２３】
またハンドル保持機構をハンドル本体の基部に一体的に結合する嵌合体に設け、かつ、外側ハンドルの基部の軸孔に臨む係止爪を有する収納体内に突出状態に可動圧接体を設けたので、外側ハンドルの脱着の障害にもならず、また十分な圧接力を得ることができる。
【図面の簡単な説明】
図１ないし図１１は本発明の一実施例である。
【図１】防音扉錠の一例であるグレモン錠を示す斜視図。
【図２】ハンドル装着時に於ける施錠位置の一部概略断面説明図。
【図３】図２に於ける外側ハンドルを正面側から見た場合の説明図。
【図４】外側ハンドル用の座板の説明図。
【図５】外側ハンドルの斜視図。
【図６】外側ハンドルの嵌合体の説明図（これを正面図とする。）
【図７】図６に於ける平面図。
【図８】図６の８−８線断面図。
【図９】主要部（ハンドル保持機構）の説明図。
【図１０】主要部（ハンドル保持機構）の正面側からの説明図。
【図１１】図９に於いて、内側ハンドルの角軸に外側ハンドルの基部が嵌合した状態の説明図。
【符号の説明】
Ｄ…防音扉、１…錠、３…錠ケース、４…固着具、５…座板、６…外側ハンドル、７…角軸、８…内側ハンドル、９…筒状体、１０…上ロッド、１１…下ロッド、１６…取付け孔、２０…ハンドル本体、２１…嵌合体、２２…先端部、２３…軸孔、２４…後端部、２５…大径の軸孔、２６…円板軸部、２７…係合溝、３０…ハンドル保持機構、３１…収納筒、３２…係止爪、３３…可動圧接体、３４…付勢バネ。
【図１】
0003950944.tif 000002
【図２】
0003950944.tif 000003
【図３】
0003950944.tif 000004
【図４】
0003950944.tif 000005
【図５】
0003950944.tif 000006
【図６】
0003950944.tif 000007
【図７】
0003950944.tif 000008
【図８】
0003950944.tif 000009
【図９】
0003950944.tif 000010
【図１０】
0003950944.tif 000011
【図１１】
0003950944.tif 000012